(57)【特許請求の範囲】
【請求項１】
メッシュトレイの開口部にカバーを固定するカバー止め金具において、メッシュトレイの開口部長手方向に沿って配設された親筋の下方からカバーの下面に至る下側面部と、該親筋の上方からカバーの上面に至る上側面部と、これら上側面部と下側面部とを揺動自在に連結する連結部とで挟着体を構成し、
親筋と親筋上に重ねたカバーの長手側縁とを該挟着体にて上下から挟み込むと共に、上側面部に開穿されたボルト挿通孔の上方から、カバーに開穿された連結孔を貫通する固定ボルトで上側面部と下側面部とをネジ止めするように構成したことを特徴とするメッシュトレイ用カバー止め金具。
【請求項２】
前記下側面部にバーリングタップを形成し、前記親筋と前記カバーとを前記挟着体にて上下から挟み込んだときに、前記上側面部のボルト挿通孔の位置に該バーリングタップの位置が重なるように設けられた請求項１記載のメッシュトレイ用カバー止め金具。
【請求項３】
前記下側面部と前記上側面部と前記連結部とは屈曲自在な金属材にて一体に形成され、前記下側面部は帯板状を成し、前記親筋に直交する位置の両側縁を上方に屈曲して補強片を形成すると共に、前記下側面部の親筋側上面に前記親筋に沿って前記親筋を係止せしめる係止リブを突設し、前記挟着体で前記親筋と前記カバーとを上下から挟み込んだときに、補強片の端部と係止リブとの間に前記親筋を配置するように構成した請求項１又は２記載のメッシュトレイ用カバー止め金具。
【発明の詳細な説明】
【技術分野】
【０００１】
本発明は、メッシュトレイの開口部にカバーを固定する際に使用するメッシュトレイ用カバー止め金具に関するものである。
【背景技術】
【０００２】
従来、ケーブルラックにカバーを設置する際に、特許文献1に記載のようなカバー止め金具が提案されている。このカバー止め具は、ラックカバーの屈曲された側面に係止孔を開穿し、該係止孔に内側から係止する係止部を備えた係止体と、ケーブルラックの親桁底部に係止する係止部を備えたフック体とを止着ボルトでねじ止めするように構成したものである。
【０００３】
太陽電池パネルを設置する配線工事などでは、このケーブルラックに代えてメッシュトレイと称する配線用トレイが使用されることがある。このメッシュトレイは、鋼線材を使用したワイヤー構造ラックで、ケーブルラックより軽量な工事が可能になる。このメッシュトレイの開口部にカバーを装着することで、トレイ内への埃の侵入防止や、ケーブル外装の紫外線劣化防止、あるいはトレイ内の温度上昇を防止している。
【０００４】
ところが、このメッシュトレイは、トレイの形状からカバーの形状に至るまでケーブルラックと異なるので、従来のケーブルラック用のカバー止め金具を使用することはできない。そのため、例えば図６に示すような、トレイＰの親筋Ｐ１に係止する止め金具１００などが現在使用されている。
【０００５】
この止め金具１００は、トレイＰの親筋Ｐ１に係止する止め金具１００に下から係止ボルト１１０を挿通し、カバーＱに開穿された連結孔Ｑ１に係止ボルト１１０を挿通した後、カバーＱ上面で係止ボルト１１０に蝶ナット１２０をネジ止めするように構成されたものである（図６参照）。
【先行技術文献】
【特許文献】
【０００６】
【特許文献１】実公平４-３６１８０号公報
【発明の概要】
【発明が解決しようとする課題】
【０００７】
ところが従来の止め金具１００は、止め金具１００の一部をトレイＰの親筋Ｐ１に係止するだけの構造なので、屋外での風圧などでカバーが外れてしまう虞があった。しかも、カバーＱを固定するにはトレイＰの内側で止め金具１００や係止ボルト１１０を操作し、一方の手でカバーＱに開穿された連結孔Ｑ１に係止ボルト１１０を挿通した状態を保ちながら、他方の手で係止ボルト１１０に蝶ナット１２０をネジ止めする作業が必要になるので、カバーＱの固定作業に多くの手間を要するものであった。
【０００８】
そこで発明は上述の課題を解消すべく創出されたもので、メッシュトレイに装着するカバーの固定作業が極めて簡単になり、しかも、屋外で取り付けたカバーに強風や積雪などの荷重が加わってもカバーの固定状態を強固に保持することができるメッシュトレイ用カバー止め金具の提供を目的とする。
【課題を解決するための手段】
【０００９】
上述の目的を達成すべく本発明における第１の手段は、メッシュトレイＰの開口部にカバーＱを固定するカバー止め金具において、
メッシュトレイＰの開口部長手方向に沿って配設された親筋Ｐ１の下方からカバーＱの下面に至る下側面部１１と、該親筋Ｐ１の上方からカバーＱの上面に至る上側面部１２と、これら上側面部と下側面部とを揺動自在に連結する連結部１３とで挟着体１０を構成し、
親筋Ｐ１と親筋Ｐ１上に重ねたカバーＱの長手側縁とを該挟着体１０にて上下から挟み込むと共に、上側面部１２に開穿されたボルト挿通孔１２Ａの上方から、カバーＱに開穿された連結孔Ｑ１を貫通する固定ボルト２０で上側面部１２と下側面部１１とをネジ止めするように構成したことにある。
【００１０】
第２の手段は、前記下側面部１１にバーリングタップ１４を形成し、前記親筋Ｐ１と前記カバーＱとを前記挟着体１０にて上下から挟み込んだときに、前記上側面部１２のボルト挿通孔１２Ａの位置に該バーリングタップ１４の位置が重なるように設けたものである。
【００１１】
第３の手段において、前記下側面部１１と前記上側面部１２と前記連結部１３とは屈曲自在な金属材にて一体に形成され、
前記下側面部１１は帯板状を成し、前記親筋Ｐ１に直交する位置の両側縁を上方に屈曲して補強片１１Ａを形成すると共に、前記下側面部１１の前記親筋Ｐ１側上面に前記親筋Ｐ１に沿って前記親筋Ｐ１を係止せしめる係止リブ１１Ｂを突設し、
前記挟着体１０で前記親筋Ｐ１と前記カバーＱとを上下から挟み込んだときに、補強片１１Ａの端部と係止リブ１１Ｂとの間に前記親筋Ｐ１を配置するように構成したものである。
【発明の効果】
【００１２】
本発明の請求項１によると、親筋Ｐ１と親筋Ｐ１上に重ねたカバーＱの長手側縁とを挟着体１０で上下から挟み込むと共に、カバーＱと挟着体１０とを貫通する固定ボルト２０で挟着体１０をネジ止めするように構成したことにより、挟着体１０や親筋Ｐ１が破断しない限りカバーＱが外れることはない。したがって、極めて強固にカバーＱを固定することができる。
【００１３】
しかも、親筋Ｐ１と親筋Ｐ１上に重ねたカバーＱの長手側縁とを、上下から挟着体１０で挟み込むだけで、カバーＱを親筋Ｐ１に仮止めすることが可能になる。この結果、親筋Ｐ１にカバーＱを仮止めしておき、その後、固定ボルト２０で挟着体１０とカバーＱを固定するといった作業が可能になる。この結果、従来のように一方の手で係止ボルトを保ちながら、他方の手で係止ボルトに蝶ナットをネジ止めするといった固定作業に比べて、固定作業を効率化することができる。
【００１４】
更に、メッシュトレイＰの親筋Ｐ１にカバーＱの長手側縁を固定するので、たとえメッシュトレイＰのサイズが異なり、対応するカバーの幅が変更されても本発明カバー止め金具によって確実に固定することができる。
【００１５】
請求項２のように、親筋Ｐ１とカバーＱとを挟着体１０にて上下から挟み込んだときに、上側面部１２のボルト挿通孔１２Ａの位置に該バーリングタップ１４の位置が重なるように設けたことで、挟着体１０にてカバーＱを親筋Ｐ１に仮止めした後、上側面部１２のボルト挿通孔１２Ａから連結孔Ｑ１を通してバーリングタップ１４に固定ボルト２０をネジ止めする作業が極めて効率良く行うことが可能になった。
【００１６】
すなわち、連結孔Ｑ１に合わせて複数の挟着体１０を仮止めした後、電動ドライバー等を使用して各バーリングタップ１４に連続して固定ボルト２０をネジ止めすることが可能になるので、従来のカバー止め金具のような面倒な固定作業は不要になり、極めて合理的にカバーＱを固定することができるものである。
【００１７】
請求項３のように、挟着体１０で親筋Ｐ１とカバーＱとを上下から挟み込んだときに、補強片１１Ａの端部と係止リブ１１Ｂとの間に親筋Ｐ１を配設するように構成したことで、親筋Ｐ１に仮止めした挟着体１０の位置が左右に振れずに済む。したがって、カバーＱの連結孔Ｑ１を通して固定ボルト２０をネジ止めする際の作業を効率化することができる。
【００１８】
また、係止リブ１１Ｂは、親筋Ｐ１の長手方向に沿って親筋Ｐ１を係止しているので、この親筋Ｐ１を回転軸として、親筋Ｐ１に固定した挟着体１０をカバーＱごと上下に揺動させることも可能である。このことから、カバーＱの片側のみを固定した後、固定していない片側からカバーＱを持ち上げることができる。したがって、配線の増設等でもカバーＱをすべて取り外す必要はなくなり、カバーＱ固定後の配線作業の合理化を図ることもできる。
【図面の簡単な説明】
【００１９】
【図１】本発明の一実施例を示す使用状態の斜視図である。
【図２】本発明の一実施例を示す分解斜視図である。
【図３】本発明の一実施例を示す使用状態の側断面図である。
【図４】（イ）乃至（ハ）は本発明の装着手順を示す側面図である。
【図５】本発明の他の使用例を示す側断面図である。
【図６】従来のカバー止め金具を示す側面図である。
【発明を実施するための形態】
【００２０】
本発明によると、メッシュトレイに装着するカバーの固定作業が極めて簡単になり、しかも、屋外で装着したカバーに強風や積雪などの荷重が加わってもカバーの固定状態を強固に保持することができるなどといった当初の目的を達成した。
【００２１】
以下、本発明の実施例を説明する。本発明カバー止め金具は、メッシュトレイＰの開口部にカバーＱを固定する金具で、挟着体１０と固定ボルト２０とで構成されている（図１参照）。メッシュトレイＰは鋼線材を組み合わせた網目状のトレイで、メッシュトレイＰの長手方向に沿って、底部や開口部等の構造を強化する複数本の親筋Ｐ１が配設されている。図示のカバーＱは長方形状を成し、長手両側縁を内側に二つ折りすることで構造を強化したものである。また、長手両側縁を略Ｌ字形状に折り曲げるなどカバーＱの形状は任意に変更できる。
【００２２】
挟着体１０は、メッシュトレイＰの開口部に配設される親筋Ｐ１に装着する部材で、下側面部１１、上側面部１２、連結部１３にて構成されている（図２参照）。そして、この挟着体１０の上側面部１２とカバーＱとを貫通する固定ボルト２０を下側面部１１にネジ止め固定するものである（図３参照）。
【００２３】
下側面部１１は、親筋Ｐ１の下方からカバーＱの下面に至る部位であり、上側面部１２は、親筋Ｐ１の上方からカバーＱの上面に至る部位である。上側面部１２には、固定ボルト２０を挿通せしめるボルト挿通孔１２Ａが開穿されている。連結部１３は、これら下側面部１１と上側面部１２とを親筋Ｐ１側で揺動自在に連結する部位で、これらが一体となって挟着体１０を構成している（図１参照）。
【００２４】
この挟着体１０は、メッシュトレイＰの開口部に沿って配設された親筋Ｐ１と、この親筋Ｐ１上に重ねたカバーＱの長手側縁とを上下から挟み込むように構成したものである（図１参照）。そして、上側面部１２のボルト挿通孔１２Ａの上方から、カバーＱに開穿された連結孔Ｑ１を貫通する固定ボルト２０で上側面部１２と下側面部１１とをネジ止めする（図３参照）。
【００２５】
図示の下側面部１１には、バーリングタップ１４を形成してある（図２参照）。そして、親筋Ｐ１とカバーＱとを挟着体１０にて上下から挟み込んだときに、上側面部１２のボルト挿通孔１２Ａの位置に該バーリングタップ１４の位置が重なるように設けたものである（図３参照）。そして、固定ボルト２０は、ボルト挿通孔１２Ａと連結孔Ｑ１とを貫通した後、このバーリングタップ１４にネジ止めする。尚、バーリングタップ１４に代えて下側面部１１の上面にナットを固定することも可能である（図示せず）。
【００２６】
また、図示の挟着体１０は、下側面部１１と上側面部１２と連結部１３とが屈曲自在な金属材にて一体に形成されている（図２参照）。更に、下側面部１１は帯板状を成し、親筋Ｐ１に直交する位置の両側縁を上方に屈曲して補強片１１Ａを形成している（図２参照）。図示例では、下側面部１１の両側縁から前方の円形部分に形成した側縁部分を一体にした補強片１１Ａを形成したものである。また、下側面部１１の補強片１１Ａは、上側面部１２の周側縁に形成した補強片１２Ｂと対向するように構成し、挟着体１０による固定強度を高めている（図２参照）。
【００２７】
一方、下側面部１１の親筋Ｐ１側上面に親筋Ｐ１に沿って親筋Ｐ１を係止せしめる係止リブ１１Ｂを突設している（図２参照）。そして、挟着体１０で親筋Ｐ１とカバーＱとを上下から挟み込んだときに、補強片１１Ａの端部と係止リブ１１Ｂとの間に親筋Ｐ１を配置するように構成している（図３参照）。
【００２８】
カバーＱ固定時は、補強片１１Ａの端部と係止リブ１１Ｂとの間に親筋Ｐ１が配置されているので、カバーＱの片側のみを固定すると、固定していない片側からカバーＱを持ち上げることができる（図５参照）。したがって、既に配線が終わった後に、更に配線を増設する場合などでも、カバーＱを固定しているすべての挟着体１０を取り外す必要はなく、片側の挟着体１０を外すだけでカバーＱを持ち上げて増設工事が行える。
【００２９】
図４に、挟着体１０によるカバーＱの仮止め方法を示す。まず、メッシュトレイＰの開口部をカバーＱにて施蓋すると、開口部の親筋Ｐ１の上にカバーＱの長手側縁が配置される（同図（イ）参照）。次に、親筋Ｐ１の外側面方向から、上下に開いた状態の挟着体１０を、親筋Ｐ１とカバーＱとを上下から挟む位置まで挿入する（同図（ロ）参照）。このとき、補強片１１Ａの端部と係止リブ１１Ｂとの間に親筋Ｐ１を配置する。続いて、上側面部１２と下側面部１１とを上下から押圧して親筋Ｐ１にカバーＱを仮止めする（同図（ハ）参照）。この際、上側面部１２のボルト挿通孔１２ＡとカバーＱの連結孔Ｑ１との位置を合わせながら仮止めするものである。
【００３０】
この仮止め状態の後、ボルト挿通孔１２Ａから連結孔Ｑ１に固定ボルト２０を挿通してバーリングタップ１４にネジ止めする（図３参照）。この結果、カバーＱが親筋Ｐ１に固定されるものである（図１参照）。
【００３１】
尚、本発明の構成は図示例に限定されるものではなく、挟着体１０や固定ボルト２０の構成は、本発明の要旨を変更しない範囲での設計変更は任意である。
【符号の説明】
【００３２】
Ｐ  メッシュトレイ
Ｐ１  親筋
Ｑ  カバー
Ｑ１  連結孔
１０  挟着体
１１  下側面部
１１Ａ  補強片
１１Ｂ  係止リブ
１２  上側面部
１２Ａ  ボルト挿通孔
１２Ｂ  補強片
１３  連結部
１４  バーリングタップ
２０  固定ボルト
１００  止め金具
１１０  係止ボルト
１２０  蝶ナット
【図１】
0005847866.tif 000002
【図２】
0005847866.tif 000003
【図３】
0005847866.tif 000004
【図４】
0005847866.tif 000005
【図５】
0005847866.tif 000006
【図６】
0005847866.tif 000007